(57)【特許請求の範囲】
【請求項１】
床の上に合成樹脂シートと合成樹脂発泡シートとからなる補助材を、合成樹脂シートを上側にして敷き、この補助材の上に、紙の一面に溶融したポリオレフィン樹脂を薄く一面に塗布し、このポリオレフィン樹脂の上にポリオレフィン樹脂製紐をほぼ均一に複数本接着した養生シートを敷き、この養生シートの周囲を粘着テープで床に貼り付けた後、この養生シートの上で作業することを特徴とする建物内の施工方法。
【発明の詳細な説明】
【０００１】
【発明の属する技術分野】
本発明は建物内の施工方法に関する。
詳細には、床が傷まないように床の上に養生シートを敷き、この養生シートの上で壁や天井の仕上げ等を施工する建物内の施工方法に関する。
【０００２】
【従来の技術】
従来、壁や天井の仕上げ等を施工する際には、床が汚れたり傷まないように床の上にクラフト紙等の養生シートを敷き、この養生シートの上で作業していた。又、この養生シートの上に合板等の補助材を敷いて、この補助材の上で作業する場合もある。
更に、補助材を敷き、その上に養生シートを敷き、この養生シートの上で作業することもある。
【０００３】
【発明が解決しようとする課題】
しかしながら、養生シートだけでは、機械的強度が弱いために、この養生シートの上を歩いたり、この養生シートの上に梯子を据え付けたりすると、破れて、床が傷むことがあった。又、この養生シートの上にハンマー等の道具を落とすと、この道具の落下による衝撃で床が窪むことがある。
又、この養生シートの上に合板を敷き、この上で作業をしていると、合板は養生シートより厚く機械的強度が大きいから、床が傷み難い。従って、養生シートを敷くだけのときより好ましいが、合板の上を歩いたり、合板の上で作業したりしていると、合板の表面が汚れ易い。又、合板の上にハンマー等の道具を落下したりすると、合板が傷み易いので、数回使用するだけで合板を交換する必要がある。しかも、合板は高価であるから、１回当たりの単価が高くなるという問題がある。
【０００４】
又、合板の上に養生シートを敷くと、合板が移動し難く好ましいが、養生シートが破れて合板が表面に出ると、この部分の合板が傷み易い。従って、使用回数が合板だけのときより多くなるが、それでも、１回当たりの単価が高いという問題がある。
そこで、本発明の目的は、移動し難く、しかも、機械的強度の大きい補助材、養生シートを使用する廉価な建物内の施工方法を提供することである。
【０００５】
【課題を解決するための手段】
本発明は上記目的を達成するためになしたものであって、床の上に合成樹脂シートと合成樹脂発泡シートとからなる補助材を、合成樹脂シートを上側にして敷き、この補助材の上に、紙の一面に溶融したポリオレフィン樹脂を薄く一面に塗布し、このポリオレフィン樹脂の上にポリオレフィン樹脂製紐をほぼ均一に複数本接着した養生シートを敷き、この養生シートの周囲を粘着テープで床に貼り付けた後、この養生シートの上で作業するものである。
【０００６】
本発明に使用する合成樹脂シートとは、ポリエチレン樹脂、ポリ塩化ビニル樹脂等の合成樹脂をシート状に形成したものであって、合板より軽く、耐水性、耐薬品性に優れている。特に、合板に比して磨耗強度が極めて大きい。
本発明に使用する合成樹脂発泡シートとは、ポリエチレン樹脂、ポリ塩化ビニル樹脂等の合成樹脂を発泡させながらシート状に成形したものであって、衝撃吸収性が大きい。
【０００７】
本発明に使用する養生シートはクラフト紙、中芯厚紙等の紙の一面に溶融したポリオレフィン樹脂を薄く一面に塗布し、このポリオレフィン樹脂の上にポリオレフィン樹脂製紐をほぼ均一に複数本接着したものである。
この養生シートを使用する理由を次に示す。
即ち、溶融したポリオレフィン樹脂をクラフト紙等の紙に塗布すると、この紙の繊維の間に溶融したポリオレフィン樹脂が滲み込んで紙の機械的強度が大きくなると同時に耐水性、防水性、耐溶剤性がよくなる。そして、この溶融したポリオレフィン樹脂の上にポリオレフィン樹脂製紐を押し付けると、同じポリオレフィン樹脂であるから両者が強固に接着する。このポリオレフィン樹脂製紐は引っ張り強度、耐磨耗性が大である。従って、この養生シートは機械的強度が大きく耐水性、防水性、耐磨耗性のよいシートとなっているからである。
ここで使用するポリオレフィン樹脂とは、エチレン、プロピレン等のオレフィンを主成分とするポリマーである。
【０００８】
（作用）
本発明では、床の上に合成樹脂シートと合成樹脂発泡シートとからなる補助材を合成樹脂シートを上側にして敷く。すると、表面の合成樹脂シートは機械的強度が大きいから、この上に梯子を据え付けたり、この上にハンマー等が落下しても、この合成樹脂シートの傷みが少ない。又、裏面の合成樹脂発泡シートは衝撃吸収性が大きいから、表面の上にハンマー等が落下しても、このハンマー等の落下による衝撃で床が窪まない。又、この合成樹脂発泡シートは床の凹凸に沿って変形するので、補助材が床に密着し、補助材が移動し難い。従って、この補助材が移動し難く、隙間が生じない。
【０００９】
本発明では、この補助材の上に養生シートを敷く。
この養生シートは、ポリオレフィン樹脂を薄く塗布しているから、紙の機械的強度が大きくなると同時に耐水性、防水性、耐溶剤性、耐磨耗性がよいし、又、このポリオレフィン樹脂の上にポリオレフィン樹脂製紐をほぼ均一に複数本接着したものであるから、機械的強度が更に大きい。従って、補助材の上に養生シートを敷くと、補助材の使用回数を多くすることができ、１回当たりの費用を安価にすることができる。
【００１０】
又、この養生シートは廉価な紙とポリオレフィン系接着剤とポリオレフィン樹脂製紐からなるから廉価である。従って、この養生シートが傷むと、新しい養生シートに替えることにより補助材の使用回数を更に多くすることができるので、１回当たりの費用を更に安価にすることができる。
本発明では、この養生シートの周囲を粘着テープで床に貼り付けるから、この養生シートの下にゴミ等が入らなくなり床が汚れないし、養生シートが移動し難くなるから養生シートの下の補助材が更に移動し難くなる。
【００１１】
【発明の実施の形態】
次に、本発明の実施例を説明する。
図１〜図３は本発明建物内の施工方法の一実施例を示すもので、図１（イ）は施工している状態を示す説明図、（ロ）は（イ）のＡ−Ａ線における断面図、図２（イ）は補助材を示す一部切欠斜視図、（ロ）は（イ）のＢ−Ｂ線における断面図、図３（イ）は養生シートを示す一部切欠説明図、（ロ）は（イ）のＣ−Ｃ線における断面図である。
【００１２】
図１〜図３において、１は（株）フォームジアリング製「商品名・フロアーガード」からなる補助材であり、この補助材１は、図２に示すように、合成樹脂シート２と合成樹脂発泡シート３とからなる。合成樹脂シート２は厚み１ｍｍのポリエチレンシートで、合成樹脂発泡シート３は厚み２ｍｍのポリエチレン樹脂発泡シートであり、８００ｍｍ×２０００ｍｍの大きさで販売されている。
この補助材１は合成樹脂シート２の表面にポリエチレン樹脂系接着剤を塗布し、この上に合成樹脂発泡シート３を押し付けて、合成樹脂シート２と合成樹脂発泡シートとを接着剤で一体に接着して製造したものである。
【００１３】
４は積水化学工業（株）製「商品名・養生シート」からなる養生シートであり、この養生シート４は、図３に示すように、中芯厚紙からなる紙５と、この紙５の上に一面に薄く塗布されたポリエチレン樹脂からなるポリオレフィン樹脂６と、このポリオレフィン樹脂６で接着されたポリプロピレン樹脂製紐からなるポリオレフィン樹脂製紐７とからなる。
【００１４】
この養生シート４は紙５に溶融したポリオレフィン樹脂６をほぼ１／１００ｍｍの厚みに塗布し、溶融している間にこの上に幅約３ｍｍのポリオレフィン樹脂製紐７をほぼ５ｍｍ間隔に縦横に並べ、この上をロールで押し付けて製造したものであり、１ｍ×２５ｍの大きさのものをロール状に巻いて販売されている。
このように、養生シート４は紙５とポリオレフィン樹脂６とポリオレフィン樹脂製紐７とからなるから、廉価であるし、紙５の機械的強度が大きいと同時に耐水性、防水性がよい。
８は粘着テープであり、この粘着テープ８はクラフト紙からなる基材の一面に粘着剤層が設けられたものである。
９は床であり、この床の上には化粧床材９１が取り付けられている。
【００１５】
次に建物内の施工方法を示す。
図１に示すように、化粧床材９１の上に補助材１を合成樹脂シート２を上側にして敷く。
次に、この補助材１の上に養生シート４を敷き、この養生シート４の周囲の縁部を粘着テープ８で床９の上に貼り付け、養生シート４と隣接する養生シート４とを粘着テープ８で繋ぎ合わせる。
そして、この養生シート４の上で壁や天井の仕上げ等を施工する。
【００１６】
すると、養生シート４は機械的強度が大きいので破れ難いし、補助材１の表面の合成樹脂シート２は機械的強度が大きいから、この上に梯子を据え付けたり、この上にハンマー等を落下しても、養生シート４が破れることがなく、合成樹脂シート２が傷まない。従って、補助材１の使用回数が多くなり、１回当たりの費用が安価になる。
又、この養生シート４は廉価であるので、表面の養生シート４が傷むとこの養生シート４のみを取り替えることで更に使用回数を増加させることができる。
又、裏面の合成樹脂発泡シート３は衝撃吸収性が大きいから、表面の上にハンマー等が落下しても、この落下による衝撃で床が窪まない。
【００１７】
又、この合成樹脂発泡シート３は床の凹凸に沿って変形するので、補助材１が床９に密着し、補助材１が移動し難い。従って、この補助材１が移動して隙間が生じ難く、床９の損傷が生じない。
又、この補助材１の上に養生シート４を敷くから、水や塗料等の液体が付着しても、補助材１が汚れることがない。
又、この養生シート４の周囲を粘着テープ８で床に貼り付けるから、ゴミが養生シート４の下側に入ることがなく、従って、化粧床材９１が汚れないし、又、養生シート４が粘着テープ８で付着されているから移動し難く、養生シート４の下の補助材１も更に移動しなくなる。従って、補助材１が移動して、床９が傷むことがない。
【００１８】
【発明の効果】
本発明では、床の上に合成樹脂シートと合成樹脂発泡シートとからなる補助材を合成樹脂シートを上側にして敷いているから、この上に梯子を据え付けたり、この上にハンマー等を落下させても、この合成樹脂シートが傷まないし、表面の上にハンマー等が落下しても、このハンマー等の落下による衝撃で床が窪むことがない。又、補助材が床に密着し、補助材が移動し難いので、この補助材が移動して隙間が生じ難い。
【００１９】
本発明では、この補助材の上に養生シートを敷くから、養生シートの上に水や塗料が付着しても床が傷まない。又、補助材が傷み難くなり、補助材の使用回数を多くすることができ、１回当たりの費用を安価にすることができる。
又、この養生シートは廉価な紙とポリオレフィン系接着剤とポリオレフィン樹脂製紐からなり廉価であるから、この養生シートが傷むと新しい養生シートに替えることにより補助材の使用回数を更に多くすることができるので、１回当たりの費用を更に安価にすることができる。
【００２０】
本発明では、この養生シートの周囲を粘着テープで床に貼り付けるから、この養生シートの下にゴミ等が入らなくなり床が汚れないし、養生シートが移動し難くなるから養生シートの下の補助材が更に移動し難くなる。
このように、移動し難く、しかも、機械的強度の大きい最適な補助材、養生シートを最適な使用方法で使用するから、コストが安価となり、床面の汚損を気づかうことなく、安心して施工することができる。
【図面の簡単な説明】
【図１】本発明建物内の施工方法の一実施例を示すもので、（イ）は施工している状態を示す説明図、（ロ）は（イ）のＡ−Ａ線における断面図である。
【図２】（イ）は補助材を示す一部切欠斜視図、（ロ）は（イ）のＢ−Ｂ線における断面図である。
【図３】（イ）は養生シートを示す一部切欠斜視図、（ロ）は（イ）のＣ−Ｃ線における断面図である。
【符号の説明】
１              補助材
２              合成樹脂シート
３              合成樹脂発泡シート
４              養生シート
５              紙
６              ポリオレフィン樹脂
７              ポリオレフィン樹脂製紐
８              粘着テープ
９              床
【図１】
0003658455.tif 000002
【図２】
0003658455.tif 000003
【図３】
0003658455.tif 000004